(57)【特許請求の範囲】
【請求項１】
複数の基本画素単位が水平方向、及び垂直方向に沿って繰り返されることにより構成される画素配列であって、
各基本画素単位は、それぞれ、
第１の色を有する第１のサブピクセル、第２の色を有する第２のサブピクセル、および第３の色を有する第３のサブピクセルからなり、前記第１のサブピクセル、第２のサブピクセル、および第３のサブピクセルの中心が、垂直方向において第１の間隔をもって上から下に順に整列されるか、または、水平方向において第１の間隔をもって左から右に順に整列され、各サブピクセルの長軸が、垂直方向から反時計回りに４５度回転した方向にある第１のサブピクセル群と、
第３の色を有する第３のサブピクセル、第１の色を有する第１のサブピクセル、および第２の色を有する第２のサブピクセルからなり、前記第３のサブピクセル、第１のサブピクセル、および第２のサブピクセルの中心が、第１のサブピクセル群における各画素の中心の整列方向において第１の間隔をもって順に整列され、各サブピクセルの長軸が、垂直方向から時計回りに４５度回転した方向にある第２のサブピクセル群とを含み、
前記第１のサブピクセル群における各サブピクセルの中心を繋いだ直線と、前記第２のサブピクセル群における各サブピクセルの中心を繋いだ直線との間の間隔は、１つのサブピクセルの長軸の水平方向または垂直方向で投影された長さ以上であり、１つのサブピクセルの長軸の水平方向または垂直方向で投影された長さと、１つのサブピクセルの短軸の水平方向または垂直方向で投影された長さとの和以下であり、
前記第２のサブピクセル群における第３のサブピクセルの中心は、前記第１のサブピクセル群における第１のサブピクセルの中心と第２のサブピクセルの中心との中心線にあり、前記第２のサブピクセル群における第１のサブピクセルの中心は、前記第１のサブピクセル群における第２のサブピクセルの中心と第３のサブピクセルの中心との中心線にあることを特徴とする画素配列。
【請求項２】
請求項１に記載の画素配列において、
前記第１のサブピクセル群における各サブピクセルの中心は、垂直方向において整列され、前記第２のサブピクセル群における各サブピクセルの中心は、垂直方向において整列されることを特徴とする画素配列。
【請求項３】
請求項２に記載の画素配列において、
画素配列の水平方向において隣り合う２つの基本画素単位の、互いに対応する位置にある２つのサブピクセルの中心の間の距離は、前記２つのサブピクセルのそれぞれの長軸の水平方向で投影された長さの和以上であり、前記２つのサブピクセルのそれぞれの長軸の水平方向で投影された長さの和と、前記２つのサブピクセルのそれぞれの短軸の水平方向での投影の長さの和との和以下であることを特徴とする画素配列。
【請求項４】
請求項３に記載の画素配列において、
画素配列の垂直方向において隣り合う２つの基本画素単位の、互いに対応する位置にある２つのサブピクセルの中心の間の距離は、隣接する６個のサブピクセルのそれぞれの短軸の垂直方向で投影された長さの和以上であり、隣接する９個のサブピクセルのそれぞれの短軸の垂直方向で投影された長さの和以下であることを特徴とする画素配列。
【請求項５】
請求項１に記載の画素配列において、
前記第１のサブピクセル群における各サブピクセルの中心は、水平方向において整列され、前記第２のサブピクセル群における各サブピクセルの中心は、水平方向において整列されることを特徴とする画素配列。
【請求項６】
請求項５に記載の画素配列において、
画素配列の水平方向において隣り合う２つの基本画素単位の、互いに対応する位置にある２つのサブピクセルの中心の間の距離は、隣接する６個のサブピクセルのそれぞれの短軸の水平方向で投影された長さの和以上であり、隣接する９個のサブピクセルのそれぞれの短軸の水平方向で投影された長さの和以下であることを特徴とする画素配列。
【請求項７】
請求項６に記載の画素配列において、
画素配列の垂直方向において隣り合う２つの基本画素単位の、互いに対応する位置にある２つのサブピクセルの中心の間の距離は、前記２つのサブピクセルのそれぞれの長軸の垂直方向で投影された長さの和以上であり、前記２つのサブピクセルのそれぞれの長軸の垂直方向で投影された長さの和と、前記２つのサブピクセルのそれぞれの短軸の垂直方向で投影された長さの和との和以下であることを特徴とする画素配列。
【請求項８】
請求項１〜７のいずれか１項に記載の画素配列において、
前記第１の間隔は、隣接する２つのサブピクセルのそれぞれの短軸の水平方向または垂直方向で投影された長さの和以上であり、隣接する三つのサブピクセルのそれぞれの短軸の水平方向または垂直方向で投影された長さの和以下であることを特徴とする画素配列。
【請求項９】
請求項１〜７のいずれか１項に記載の画素配列において、
前記第１のサブピクセル、前記第２のサブピクセル、および前記第３のサブピクセルの形状は、矩形、楕円形、菱形、または六角形のうちのいずれか一種であることを特徴とする画素配列。
【請求項１０】
請求項１〜７のいずれか１項に記載の画素配列において、
前記第１の色、第２の色、および第３の色は、それぞれ青、赤、緑であるか、青、緑、赤であることを特徴とする画素配列。
【請求項１１】
画素領域、及び非画素領域を有する基板と、
画素領域に位置し、第１の電極、有機薄層、及び第２の電極を含む有機発光ダイオードと、
有機発光ダイオードを駆動するための駆動部とを含むディスプレイであって、
前記画素領域の画素配列は、複数の基本画素単位が水平方向、及び垂直方向に沿って繰り返されることにより構成され、
各基本画素単位は、それぞれ、
第１の色を有する第１のサブピクセル、第２の色を有する第２のサブピクセル、および第３の色を有する第３のサブピクセルからなり、前記第１のサブピクセル、第２のサブピクセル、および第３のサブピクセルの中心が、垂直方向において第１の間隔をもって上から下に順に整列されるか、または、水平方向において第１の間隔をもって左から右に順に整列され、各サブピクセルの長軸が、垂直方向から反時計回りに４５度回転した方向にある第１のサブピクセル群と、
第３の色を有する第３のサブピクセル、第１の色を有する第１のサブピクセル、および第２の色を有する第２のサブピクセルからなり、前記第３のサブピクセル、第１のサブピクセル、および第２のサブピクセルの中心が、第１のサブピクセル群における各画素の中心の整列方向において第１の間隔をもって順に整列され、各サブピクセルの長軸が、垂直方向から時計回りに４５度回転した方向にある第２のサブピクセル群とを含み、
前記第１のサブピクセル群における各サブピクセルの中心を繋いだ直線と、前記第２のサブピクセル群における各サブピクセルの中心を繋いだ直線との間の間隔は、１つのサブピクセルの長軸の水平方向または垂直方向で投影された長さ以上であって、１つのサブピクセルの長軸の水平方向または垂直方向で投影された長さと、１つのサブピクセルの短軸の水平方向または垂直方向で投影された長さとの和以下であり、
前記第２のサブピクセル群における第３のサブピクセルの中心は、前記第１のサブピクセル群における第１のサブピクセルの中心と第２のサブピクセルの中心との中心線にあり、前記第２のサブピクセル群における第１のサブピクセルの中心は、前記第１のサブピクセル群における第２のサブピクセルの中心と第３のサブピクセルの中心との中心線にあり、
前記駆動部は、
前記ディスプレイに表示しようとするカラー画像を示す画像信号を入力するための入力ユニットと、
前記ディスプレイの各第１のサブピクセル、各第２のサブピクセル、および各第３のサブピクセルの強度値を含む強度分布図を生成するためのサブピクセル発色ユニットと、
前記強度分布図に基づいて生成された複数の電気信号を前記ディスプレイに出力するための出力ユニットとを含むことを特徴とするディスプレイ。
【請求項１２】
請求項１１に記載のディスプレイにおいて、
前記駆動部は、
前記入力ユニットから前記カラー画像を受信し、各第１のサブピクセル、各第２のサブピクセル、および各第３のサブピクセルの輝度値を含む前記カラー画像の輝度分布図を生成するための輝度マッピングユニットと、
前記輝度マッピングユニットと前記サブピクセル発色ユニットとの間に電気的に接続され、前記輝度分布図を分析して前記カラー画像の少なくとも１つのパターンを推定し、各パターンについて少なくとも１つのカラーテンプレートを生成するためのパターン推定ユニットとをさらに含むことを特徴とするディスプレイ。
【請求項１３】
請求項１１または１２に記載のディスプレイにおいて、
前記駆動部は、
前記サブピクセル発色ユニットと前記出力ユニットとの間に電気的に接続され、サブピクセル発色ユニットからの強度分布図を受信してバッファリングしてから出力するための輝度バッファーをさらに含むことを特徴とするディスプレイ。
【請求項１４】
請求項１２に記載のディスプレイにおいて、
前記少なくとも１つのパターンは、点パターンを含み、
前記点パターンに対応する前記カラーテンプレートは、
前記点パターンのカラーテンプレートの中心に位置し、第１の輝度値を有する第１のサブピクセルと、
前記第１のサブピクセルの第１の端部に位置し、前記第１のサブピクセルに平行し、第２の輝度値を有する第２のサブピクセルと、
前記第１のサブピクセルの第１の端部に位置し、前記第１のサブピクセルに垂直し、第３の輝度値を有する第３のサブピクセルとを含むことを特徴とするディスプレイ。
【請求項１５】
請求項１４に記載のディスプレイにおいて、
前記第１のサブピクセル、前記第２のサブピクセル、および前記第３のサブピクセルにより１つの画素ドットを構成することを特徴とするディスプレイ。
【請求項１６】
請求項１１に記載のディスプレイにおいて、
前記第１のサブピクセル群における各サブピクセルの中心は、垂直方向において整列され、前記第２のサブピクセル群における各サブピクセルの中心は、垂直方向において整列されることを特徴とするディスプレイ。
【請求項１７】
請求項１６に記載のディスプレイにおいて、
画素配列の水平方向において隣り合う２つの基本画素単位の、互いに対応する位置にある２つのサブピクセルの中心の間の距離は、前記２つのサブピクセルのそれぞれの長軸の水平方向で投影された長さの和以上であり、前記２つのサブピクセルのそれぞれの長軸の水平方向で投影された長さの和と、前記２つのサブピクセルのそれぞれの短軸の水平方向で投影された長さの和との和以下であることを特徴とするディスプレイ。
【請求項１８】
請求項１７に記載のディスプレイにおいて、
画素配列の垂直方向において隣り合う２つの基本画素単位の、互いに対応する位置にある２つのサブピクセルの中心の間の距離は、隣接する６個のサブピクセルのそれぞれの短軸の垂直方向で投影された長さの和以上であり、隣接する９個のサブピクセルのそれぞれの短軸の垂直方向で投影された長さの和以下であることを特徴とするディスプレイ。
【請求項１９】
請求項１１に記載のディスプレイにおいて、
前記第１のサブピクセル群における各サブピクセルの中心は、水平方向において整列され、前記第２のサブピクセル群における各サブピクセルの中心は、水平方向において整列されることを特徴とするディスプレイ。
【請求項２０】
請求項１９に記載のディスプレイにおいて、
画素配列の水平方向において隣り合う２つの基本画素単位の、互いに対応する位置にある２つのサブピクセルの中心の間の距離は、隣接する６個のサブピクセルのそれぞれの短軸の水平方向で投影された長さの和以上であり、隣接する９個のサブピクセルのそれぞれの短軸の水平方向で投影された長さの和以下であることを特徴とするディスプレイ。
【請求項２１】
請求項２０に記載のディスプレイにおいて、
画素配列の垂直方向において隣り合う２つの基本画素単位の、互いに対応する位置にある２つのサブピクセルの中心の間の距離は、前記２つのサブピクセルのそれぞれの長軸の垂直方向で投影された長さの和以上であり、前記２つのサブピクセルのそれぞれの長軸の垂直方向で投影された長さの和と、前記２つのサブピクセルのそれぞれの短軸の垂直方向で投影された長さの和との和以下であることを特徴とするディスプレイ。
【請求項２２】
請求項１１〜２１のいずれか１項に記載のディスプレイにおいて、
前記第１の間隔は、隣接する２つのサブピクセルのそれぞれの短軸の水平方向または垂直方向で投影された長さの和以上であり、隣接する三つのサブピクセルのそれぞれの短軸の水平方向または垂直方向で投影された長さの和以下であることを特徴とするディスプレイ。
【請求項２３】
請求項１１〜２１のいずれか１項に記載のディスプレイにおいて、
前記第１のサブピクセル、前記第２のサブピクセル、および前記第３のサブピクセルの形状は、矩形、楕円形、菱形、または六角形のうちのいずれか一種であることを特徴とするディスプレイ。
【請求項２４】
請求項１１〜２１のいずれか１項に記載のディスプレイにおいて、
前記第１の色、第２の色、および第３の色は、それぞれ青、赤、緑であるか、青、緑、赤であることを特徴とするディスプレイ。
【請求項２５】
ディスプレイへの画像表示方法であって、
前記ディスプレイは、複数の基本画素単位が水平方向、及び垂直方向に沿って繰り返されることにより構成される画素配列を有し、
各基本画素単位は、それぞれ、
第１の色を有する第１のサブピクセル、第２の色を有する第２のサブピクセル、および第３の色を有する第３のサブピクセルからなり、前記第１のサブピクセル、第２のサブピクセル、および第３のサブピクセルの中心が、垂直方向において第１の間隔をもって上から下に順に整列されるか、または、水平方向において第１の間隔をもって左から右に順に整列され、各サブピクセルの長軸が、垂直方向から反時計回りに４５度回転した方向にある第１のサブピクセル群と、
第３の色を有する第３のサブピクセル、第１の色を有する第１のサブピクセル、および第２の色を有する第２のサブピクセルからなり、前記第３のサブピクセル、第１のサブピクセル、および第２のサブピクセルの中心が、第１のサブピクセル群における各画素の中心の整列方向において第１の間隔をもって順に整列され、各サブピクセルの長軸が、垂直方向から時計回りに４５度回転した方向にある第２のサブピクセル群とを含み、
前記第１のサブピクセル群における各サブピクセルの中心を繋いだ直線と、前記第２のサブピクセル群における各サブピクセルの中心を繋いだ直線との間の間隔は、１つのサブピクセルの長軸の水平方向または垂直方向で投影された長さ以上であって、１つのサブピクセルの長軸の水平方向または垂直方向で投影された長さと、１つのサブピクセルの短軸の水平方向または垂直方向で投影された長さとの和以下であり、
前記第２のサブピクセル群における第３のサブピクセルの中心は、前記第１のサブピクセル群における第１のサブピクセルの中心と第２のサブピクセルの中心との中心線にあり、前記第２のサブピクセル群における第１のサブピクセルの中心は、前記第１のサブピクセル群における第２のサブピクセルの中心と第３のサブピクセルの中心との中心線にあり、
前記ディスプレイへの画像表示方法は、
前記ディスプレイに表示しようとするカラー画像を示す画像信号を入力するステップ（ａ）と、
前記ディスプレイの各第１のサブピクセル、各第２のサブピクセル、および各第３のサブピクセルの強度値を含む強度分布図を生成するステップ（ｂ）と、
前記強度分布図に基づいて生成された複数の電気信号を前記ディスプレイに出力するステップ（ｃ）とを含むことを特徴とする方法。
【請求項２６】
請求項２５に記載の方法において、
ステップ（ａ）の後であってステップ（ｂ）の前に、
各第１のサブピクセル、各第２のサブピクセル、および各第３のサブピクセルの輝度値を含む前記カラー画像の輝度分布図を生成するステップと、
前記輝度分布図を分析して前記カラー画像の少なくとも１つのパターンを推定し、各パターンについて、前記強度分布図を生成するために用いられる少なくとも１つのカラーテンプレートを生成するステップとをさらに含むことを特徴とする方法。
【請求項２７】
請求項２５または２６に記載の方法において、
ステップ（ｂ）の後であってステップ（ｃ）の前に、
前記強度分布図を受信してバッファリングするステップをさらに含むことを特徴とする方法。
【請求項２８】
請求項２６に記載の方法において、
前記少なくとも１つのパターンは、点パターンを含み、
前記点パターンに対応する前記カラーテンプレートは、
前記点パターンのカラーテンプレートの中心に位置し、第１の輝度値を有する第１のサブピクセルと、
前記第１のサブピクセルの第１の端部に位置し、前記第１のサブピクセルに平行し、第２の輝度値を有する第２のサブピクセルと、
前記第１のサブピクセルの第１の端部に位置し、前記第１のサブピクセルに垂直し、第３の輝度値を有する第３のサブピクセルとを含むことを特徴とする方法。
【請求項２９】
請求項２８に記載の方法において、
前記第１のサブピクセル、前記第２のサブピクセル、および前記第３のサブピクセルにより１つの画素ドットを構成することを特徴とする方法。
【請求項３０】
請求項２５に記載の方法において、
前記第１のサブピクセル群における各サブピクセルの中心は、垂直方向において整列され、前記第２のサブピクセル群における各サブピクセルの中心は、垂直方向において整列されることを特徴とする方法。
【請求項３１】
請求項３０に記載の方法において、
画素配列の水平方向において隣り合う２つの基本画素単位の、互いに対応する位置にある２つのサブピクセルの中心の間の距離は、前記２つのサブピクセルのそれぞれの長軸の水平方向で投影された長さの和以上であり、前記２つのサブピクセルのそれぞれの長軸の水平方向で投影された長さの和と、前記２つのサブピクセルのそれぞれの短軸の水平方向で投影された長さの和との和以下であることを特徴とする方法。
【請求項３２】
請求項３１に記載の方法において、
画素配列の垂直方向において隣り合う２つの基本画素単位の、互いに対応する位置にある２つのサブピクセルの中心の間の距離は、隣接する６個のサブピクセルのそれぞれの短軸の垂直方向で投影された長さの和以上であり、隣接する９個のサブピクセルのそれぞれの短軸の垂直方向で投影された長さの和以下であることを特徴とする方法。
【請求項３３】
請求項２５に記載の方法において、
前記第１のサブピクセル群における各サブピクセルの中心は、水平方向において整列され、前記第２のサブピクセル群における各サブピクセルの中心は、水平方向において整列されることを特徴とする方法。
【請求項３４】
請求項３３に記載の方法において、
画素配列の水平方向において隣り合う２つの基本画素単位の、互いに対応する位置にある２つのサブピクセルの中心の間の距離は、隣接する６個のサブピクセルのそれぞれの短軸の水平方向で投影された長さの和以上であり、隣接する９個のサブピクセルのそれぞれの短軸の水平方向で投影された長さの和以下であることを特徴とする方法。
【請求項３５】
請求項３４に記載の方法において、
画素配列の垂直方向において隣り合う２つの基本画素単位の、互いに対応する位置にある２つのサブピクセルの中心の間の距離は、前記２つのサブピクセルのそれぞれの長軸の垂直方向で投影された長さの和以上であり、前記２つのサブピクセルのそれぞれの長軸の垂直方向で投影された長さの和と、前記２つのサブピクセルのそれぞれの短軸の垂直方向で投影された長さの和との和以下であることを特徴とする方法。
【請求項３６】
請求項２５〜３５のいずれか１項に記載の方法において、
前記第１の間隔は、隣接する２つのサブピクセルのそれぞれの短軸の水平方向または垂直方向で投影された長さの和以上であり、隣接する三つのサブピクセルのそれぞれの短軸の水平方向または垂直方向で投影された長さの和以下であることを特徴とする方法。
【請求項３７】
請求項２５〜３５のいずれか１項に記載の方法において、
前記第１のサブピクセル、前記第２のサブピクセル、および前記第３のサブピクセルの形状は、矩形、楕円形、菱形、または六角形のうちのいずれか一種であることを特徴とする方法。
【請求項３８】
請求項２５〜３５のいずれか１項に記載の方法において、
前記第１の色、第２の色、および第３の色は、それぞれ青、赤、緑であるか、青、緑、赤であることを特徴とする方法。
【発明の詳細な説明】
【技術分野】
【０００１】
本発明は、表示技術分野に係り、特に画素配列、当該画素配列を含むディスプレイ、およびディスプレイへの画像表示方法に係る。
【背景技術】
【０００２】
アクティブマトリクス式有機発光ダイオード（以下ＡＭＯＬＥＤと略称する）は、新世代のディスプレイである。図１（ａ）〜図１（ｅ）は、従来技術におけるＡＭＯＬＥＤディスプレイの各種の画素配列の模式図である。
【０００３】
伝統的な画素配列のピクセルは、赤、緑、青の３つのサブピクセルからなる。しかし、現在のＡＭＯＬＥＤの画素配列の設計は、ＰｅｎＴｉｌｅ技術に類似する配列方式を使用する傾向がある。ＰｅｎＴｉｌｅ画素配列の各画素ドット（またはピクセルと称する）は、互いに異なり、一種は、赤と緑からなり、他の一種は、青と緑からなる。三原色を揃える場合のみ、フルカラーを再現することができることはよく知られており、２種類の色ではフルカラーを再現することが不可能であるため、実際に画像を表示するとき、ＰｅｎＴｉｌｅの１つのピクセルは、自身が備えていない他の１種類の色を、隣り合うピクセルから借用することにより、三原色を構成する。水平方向において、各ピクセルとそれに隣接するピクセルは、自分自身が備えていない１種類の色のサブピクセルを共用して、白色を表示する効果を達成する。
【０００４】
現在、ＡＭＯＬＥＤは、高解像度の製品において、限界に達している。これは、従来のＡＭＯＬＥＤの蒸着技術が主にＦＭＭ（Ｆｉｎｅ Ｍｅｔａｌ Ｍａｓｋ）を使用しているが、その蒸着精度がノーマルの画素配列方式（ストリップ配列：ｓｔｒｉｐｅ）を採用するときに、２００ＰＰＩを超える製品の場合、混色しやすいという問題（即ち、歩留まりが低い問題）が発生するからである。
【０００５】
そこで、非典型的なＰｅｎＴｉｌｅ画素配列などのレンダリング（ｒｅｎｄｅｒｉｎｇ）画素配列方式が生み出され、これにより、１／３のサブピクセルの数を減少することができ、ＦＭＭの蒸着精度が足りないという問題を解決する。しかしながら、ＰｅｎＴｉｌｅ配列は、実際のＲＧＢサブピクセルと異なり、サブピクセルを共用する関係により、画面は、非連続する箇所の境界において多少ぼんやりするように見える。また、ＰｅｎＴｉｌｅ或いは非典型的ＰｅｎＴｉｌｅ画素配列方式は、画面のエッジを粗くする問題ももたらす。
【発明の概要】
【発明が解決しようとする課題】
【０００６】
このため、本発明は、新しい画素配列、当該画素配列を含むディスプレイ、及びディスプレイへの画像表示方法を提供する。本発明は、サブピクセルを減少するだけではなく、従来技術の画素配列に存在する画面エッジがぼんやりするという欠陥を克服することができるとともに、蒸着精度、蒸着歩留まり及び画像解像度を高めることができる。
【課題を解決するための手段】
【０００７】
従来技術に存在する問題を解決するために、本発明の第１の局面によると画素配列を提供し、当該画素配列は、複数の基本画素単位が水平方向、及び垂直方向に沿って繰り返されることにより構成され、各基本画素単位は、それぞれ、第１の色の第１のサブピクセル、第２の色の第２のサブピクセル、および第３の色の第３のサブピクセルからなり、前記第１のサブピクセル、第２のサブピクセル、および第３のサブピクセルの中心が、垂直方向において第１の間隔をもって上から下に順に整列されるか、または、水平方向において第１の間隔をもって左から右に順に整列され、各サブピクセルの長軸が、垂直方向から反時計回りに４５度回転した方向にある第１のサブピクセル群と、第３の色の第３のサブピクセル、第１の色の第１のサブピクセル、および第２の色の第２のサブピクセルからなり、前記第３のサブピクセル、第１のサブピクセル、および第２のサブピクセルの中心が、第１のサブピクセル群における各画素の中心の整列方向において第１の間隔をもって順に整列され、各サブピクセルの長軸が、垂直方向から時計回りに４５度回転した方向にある第２のサブピクセル群とを含み、前記第１のサブピクセル群における各サブピクセルの中心を繋いだ直線と、前記第２のサブピクセル群における各サブピクセルの中心を繋いだ直線との間の間隔は、１つのサブピクセルの長軸の水平方向または垂直方向で投影された長さ以上であり、１つのサブピクセルの長軸の水平方向または垂直方向で投影された長さと、１つのサブピクセルの短軸の水平方向または垂直方向で投影された長さとの和以下であり、前記第２のサブピクセル群における第３のサブピクセルの中心は、前記第１のサブピクセル群における第１のサブピクセルの中心と第２のサブピクセルの中心との中心線にあり、前記第２のサブピクセル群における第１のサブピクセルの中心は、前記第１のサブピクセル群における第２のサブピクセルの中心と第３のサブピクセルの中心との中心線にある。
【０００８】
前記第１のサブピクセル群における各サブピクセルの中心は、垂直方向において整列され、前記第２のサブピクセル群における各サブピクセルの中心は、垂直方向において整列されることが好ましい。
【０００９】
画素配列の水平方向において隣り合う２つの基本画素単位の、互いに対応する位置にある２つのサブピクセルの中心の間の距離は、２つのサブピクセルの長軸の水平方向で投影された長さ以上であり、２つのサブピクセルの長軸の水平方向で投影された長さと、２つのサブピクセルの短軸の水平方向で投影された長さとの和以下であることが好ましい。
【００１０】
画素配列の垂直方向において隣り合う２つの基本画素単位の、互いに対応する位置にある２つのサブピクセルの中心の間の距離は、６個のサブピクセルの短軸の垂直方向で投影された長さ以上であり、９個のサブピクセルの短軸の垂直方向で投影された長さ以下であることが好ましい。
【００１１】
前記第１のサブピクセル群における各サブピクセルの中心は、水平方向において整列され、前記第２のサブピクセル群における各サブピクセルの中心は、水平方向において整列されることが好ましい。
【００１２】
画素配列の水平方向において隣り合う２つの基本画素単位の、互いに対応する位置にある２つのサブピクセルの中心の間の距離は、６個のサブピクセルの短軸の水平方向で投影された長さ以上であり、９個のサブピクセルの短軸の水平方向で投影された長さ以下であることが好ましい。
【００１３】
画素配列の垂直方向において隣り合う２つの基本画素単位の、互いに対応する位置にある２つのサブピクセルの中心の間の距離は、２つのサブピクセルの長軸の垂直方向で投影された長さ以上であり、２つのサブピクセルの長軸の垂直方向で投影された長さと、２つのサブピクセルの短軸の垂直方向で投影された長さとの和以下であることが好ましい。
【００１４】
前記第１の間隔は、２つのサブピクセルの短軸の水平方向または垂直方向で投影された長さ以上であり、三つのサブピクセルの短軸の水平方向または垂直方向で投影された長さ以下であることが好ましい。
【００１５】
前記第１のサブピクセル、前記第２のサブピクセル、および前記第３のサブピクセルの形状は、矩形、楕円形、菱形、または六角形のうちのいずれか一種であることが好ましい。
【００１６】
前記第１の色、第２の色、および第３の色は、それぞれ青、赤、緑であるか、青、緑、赤であることが好ましい。
【００１７】
前記画素配列における各同色のサブピクセル行は、走査駆動部から信号を供給され、前記画素配列における各異色のサブピクセル列は、データ駆動部から信号を供給されることが好ましい。
【００１８】
本発明の第２の局面によるとディスプレイを提供し、当該ディスプレイは、画素領域、及び非画素領域を有する基底と、画素領域に位置し、第１の電極、有機薄層、及び第２の電極を含む有機発光ダイオードと、有機発光ダイオードを駆動するための駆動部とを含み、前記画素領域の画素配列は、複数の基本画素単位が水平方向、及び垂直方向に沿って繰り返されることにより構成され、各基本画素単位は、それぞれ、第１の色の第１のサブピクセル、第２の色の第２のサブピクセル、および第３の色の第３のサブピクセルからなり、前記第１のサブピクセル、第２のサブピクセル、および第３のサブピクセルの中心が、垂直方向において第１の間隔をもって上から下に順に整列されるか、または、水平方向において第１の間隔をもって左から右に順に整列され、各サブピクセルの長軸が、垂直方向から反時計回りに４５度回転した方向にある第１のサブピクセル群と、第３の色の第３のサブピクセル、第１の色の第１のサブピクセル、および第２の色の第２のサブピクセルからなり、前記第３のサブピクセル、第１のサブピクセル、および第２のサブピクセルの中心が、第１のサブピクセル群における各画素の中心の整列方向において第１の間隔をもって順に整列され、各サブピクセルの長軸が、垂直方向から時計回りに４５度回転した方向にある第２のサブピクセル群とを含み、前記第１のサブピクセル群における各サブピクセルの中心を繋いだ直線と、前記第２のサブピクセル群における各サブピクセルの中心を繋いだ直線との間の間隔は、１つのサブピクセルの長軸の水平方向または垂直方向で投影された長さ以上であって、１つのサブピクセルの長軸の水平方向または垂直方向で投影された長さと、１つのサブピクセルの短軸の水平方向または垂直方向で投影された長さとの和以下であり、前記第２のサブピクセル群における第３のサブピクセルの中心は、前記第１のサブピクセル群における第１のサブピクセルの中心と第２のサブピクセルの中心との中心線にあり、前記第２のサブピクセル群における第１のサブピクセルの中心は、前記第１のサブピクセル群における第２のサブピクセルの中心と第３のサブピクセルの中心との中心線にあり、前記駆動部は、前記ディスプレイに表示しようとするカラー画像を示す画像信号を入力するための入力ユニットと、前記ディスプレイの各第１のサブピクセル、各第２のサブピクセル、および各第３のサブピクセルの強度値を含む強度分布図を生成するためのサブピクセル発色ユニットと、前記強度分布図に基づいて生成された複数の電気信号を前記ディスプレイに出力するための出力ユニットとを含む。
【００１９】
前記駆動部は、前記入力ユニットから前記カラー画像を受信し、各第１のサブピクセル、各第２のサブピクセル、および各第３のサブピクセルの輝度値を含む前記カラー画像の輝度分布図を生成するための輝度マッピングユニットと、前記輝度マッピングユニットと前記サブピクセル発色ユニットとの間に電気的に接続され、前記輝度分布図を分析して前記カラー画像の少なくとも１つのパターンを推定し、各パターンについて少なくとも１つのカラーテンプレートを生成するためのパターン推定ユニットとをさらに含むことが好ましい。
【００２０】
前記駆動部は、前記サブピクセル発色ユニットと前記出力ユニットとの間に電気的に接続され、サブピクセル発色ユニットからの強度分布図を受信してバッファリングしてから出力するための輝度バッファーをさらに含むことが好ましい。
【００２１】
前記少なくとも１つのパターンは、点パターンを含み、前記点パターンに対応する前記カラーテンプレートは、前記点パターンのカラーテンプレートの中心に位置し、第１の輝度値を有する第１のサブピクセルと、前記第１のサブピクセルの第１の端部に位置し、前記第１のサブピクセルに平行し、第２の輝度値を有する第２のサブピクセルと、前記第１のサブピクセルの第１の端部に位置し、前記第１のサブピクセルに垂直し、第３の輝度値を有する第３のサブピクセルとを含むことが好ましい。
【００２２】
前記第１のサブピクセル、前記第２のサブピクセル、および前記第３のサブピクセルにより１つの画素ドットを構成することが好ましい。
【００２３】
前記第１のサブピクセル群における各サブピクセルの中心は、垂直方向において整列され、前記第２のサブピクセル群における各サブピクセルの中心は、垂直方向において整列されることが好ましい。
【００２４】
画素配列の水平方向において隣り合う２つの基本画素単位の、互いに対応する位置にある２つのサブピクセルの中心の間の距離は、２つのサブピクセルの長軸の水平方向で投影された長さ以上であり、２つのサブピクセルの長軸の水平方向で投影された長さと、２つのサブピクセルの短軸の水平方向で投影された長さとの和以下であることが好ましい。
【００２５】
画素配列の垂直方向において隣り合う２つの基本画素単位の、互いに対応する位置にある２つのサブピクセルの中心の間の距離は、６個のサブピクセルの短軸の垂直方向で投影された長さ以上であり、９個のサブピクセルの短軸の垂直方向で投影された長さ以下であることが好ましい。
【００２６】
前記第１のサブピクセル群における各サブピクセルの中心は、水平方向において整列され、前記第２のサブピクセル群における各サブピクセルの中心は、水平方向において整列されることが好ましい。
【００２７】
画素配列の水平方向において隣り合う２つの基本画素単位の、互いに対応する位置にある２つのサブピクセルの中心の間の距離は、６個のサブピクセルの短軸の水平方向で投影された長さ以上であり、９個のサブピクセルの短軸の水平方向で投影された長さ以下であることが好ましい。
【００２８】
画素配列の垂直方向において隣り合う２つの基本画素単位の、互いに対応する位置にある２つのサブピクセルの中心の間の距離は、２つのサブピクセルの長軸の垂直方向で投影された長さ以上であり、２つのサブピクセルの長軸の垂直方向で投影された長さと、２つのサブピクセルの短軸の垂直方向で投影された長さとの和以下であることが好ましい。
【００２９】
前記第１の間隔は、２つのサブピクセルの短軸の水平方向または垂直方向で投影された長さ以上であり、三つのサブピクセルの短軸の水平方向または垂直方向で投影された長さ以下であることが好ましい。
【００３０】
前記第１のサブピクセル、前記第２のサブピクセル、および前記第３のサブピクセルの形状は、矩形、楕円形、菱形、または六角形のうちのいずれか一種であることが好ましい。
【００３１】
前記第１の色、第２の色、および第３の色は、それぞれ青、赤、緑であるか、青、緑、赤であることが好ましい。
【００３２】
前記画素配列における各同色のサブピクセル行は、走査駆動部から信号を供給され、前記画素配列における各異色のサブピクセル列は、データ駆動部から信号を供給されることが好ましい。
【００３３】
本発明の第３の局面によると、ディスプレイへの画像表示方法を提供し、前記ディスプレイは、複数の基本画素単位が水平方向、及び垂直方向に沿って繰り返されることにより構成される画素配列を有し、各基本画素単位は、それぞれ、第１の色の第１のサブピクセル、第２の色の第２のサブピクセル、および第３の色の第３のサブピクセルからなり、前記第１のサブピクセル、第２のサブピクセル、および第３のサブピクセルの中心が、垂直方向において第１の間隔をもって上から下に順に整列されるか、または、水平方向において第１の間隔をもって左から右に順に整列され、各サブピクセルの長軸が、垂直方向から反時計回りに４５度回転した方向にある第１のサブピクセル群と、第３の色の第３のサブピクセル、第１の色の第１のサブピクセル、および第２の色の第２のサブピクセルからなり、前記第３のサブピクセル、第１のサブピクセル、および第２のサブピクセルの中心が、第１のサブピクセル群における各画素の中心の整列方向において第１の間隔をもって順に整列され、各サブピクセルの長軸が、垂直方向から時計回りに４５度回転した方向にある第２のサブピクセル群とを含み、前記第１のサブピクセル群における各サブピクセルの中心を繋いだ直線と、前記第２のサブピクセル群における各サブピクセルの中心を繋いだ直線との間の間隔は、１つのサブピクセルの長軸の水平方向または垂直方向で投影された長さ以上であって、１つのサブピクセルの長軸の水平方向または垂直方向で投影された長さと、１つのサブピクセルの短軸の水平方向または垂直方向で投影された長さとの和以下であり、前記第２のサブピクセル群における第３のサブピクセルの中心は、前記第１のサブピクセル群における第１のサブピクセルの中心と第２のサブピクセルの中心との中心線にあり、前記第２のサブピクセル群における第１のサブピクセルの中心は、前記第１のサブピクセル群における第２のサブピクセルの中心と第３のサブピクセルの中心との中心線にあり、前記ディスプレイへの画像表示方法は、前記ディスプレイに表示しようとするカラー画像を示す画像信号を入力するステップ（ａ）と、前記ディスプレイの各第１のサブピクセル、各第２のサブピクセル、および各第３のサブピクセルの強度値を含む強度分布図を生成するステップ（ｂ）と、前記強度分布図に基づいて生成された複数の電気信号を前記ディスプレイに出力するステップ（ｃ）とを含む。
【００３４】
ステップ（ａ）の後であってステップ（ｂ）の前に、各第１のサブピクセル、各第２のサブピクセル、および各第３のサブピクセルの輝度値を含む前記カラー画像の輝度分布図を生成するステップと、前記輝度分布図を分析して前記カラー画像の少なくとも１つのパターンを推定し、各パターンについて、前記強度分布図を生成するために用いられる少なくとも１つのカラーテンプレートを生成するステップとをさらに含むことが好ましい。
【００３５】
ステップ（ｂ）の後であってステップ（ｃ）の前に、前記強度分布図を受信してバッファリングするステップをさらに含むことが好ましい。
【００３６】
前記少なくとも１つのパターンは、点パターンを含み、前記点パターンに対応する前記カラーテンプレートは、前記点パターンのカラーテンプレートの中心に位置し、第１の輝度値を有する第１のサブピクセルと、前記第１のサブピクセルの第１の端部に位置し、前記第１のサブピクセルに平行し、第２の輝度値を有する第２のサブピクセルと、前記第１のサブピクセルの第１の端部に位置し、前記第１のサブピクセルに垂直し、第３の輝度値を有する第３のサブピクセルとを含むことが好ましい。
【００３７】
前記第１のサブピクセル、前記第２のサブピクセル、および前記第３のサブピクセルにより１つの画素ドットを構成することが好ましい。
【００３８】
前記第１のサブピクセル群における各サブピクセルの中心は、垂直方向において整列され、前記第２のサブピクセル群における各サブピクセルの中心は、垂直方向において整列されることが好ましい。
【００３９】
画素配列の水平方向において隣り合う２つの基本画素単位の、互いに対応する位置にある２つのサブピクセルの中心の間の距離は、２つのサブピクセルの長軸の水平方向で投影された長さ以上であり、２つのサブピクセルの長軸の水平方向で投影された長さと、２つのサブピクセルの短軸の水平方向で投影された長さとの和以下であることが好ましい。
【００４０】
画素配列の垂直方向において隣り合う２つの基本画素単位の、互いに対応する位置にある２つのサブピクセルの中心の間の距離は、６個のサブピクセルの短軸の垂直方向で投影された長さ以上であり、９個のサブピクセルの短軸の垂直方向で投影された長さ以下であることが好ましい。
【００４１】
前記第１のサブピクセル群における各サブピクセルの中心は、水平方向において整列され、前記第２のサブピクセル群における各サブピクセルの中心は、水平方向において整列されることが好ましい。
【００４２】
画素配列の水平方向において隣り合う２つの基本画素単位の、互いに対応する位置にある２つのサブピクセルの中心の間の距離は、６個のサブピクセルの短軸の水平方向で投影された長さ以上であり、９個のサブピクセルの短軸の水平方向で投影された長さ以下であることが好ましい。
【００４３】
画素配列の垂直方向において隣り合う２つの基本画素単位の、互いに対応する位置にある２つのサブピクセルの中心の間の距離は、２つのサブピクセルの長軸の垂直方向で投影された長さ以上であり、２つのサブピクセルの長軸の垂直方向で投影された長さと、２つのサブピクセルの短軸の垂直方向で投影された長さとの和以下であることが好ましい。
前記第１の間隔は、２つのサブピクセルの短軸の水平方向または垂直方向で投影された長さ以上であり、三つのサブピクセルの短軸の水平方向または垂直方向で投影された長さ以下であることが好ましい。
【００４４】
前記第１のサブピクセル、前記第２のサブピクセル、および前記第３のサブピクセルの形状は、矩形、楕円形、菱形、または六角形のうちのいずれか一種であることが好ましい。
【００４５】
前記第１の色、第２の色、および第３の色は、それぞれ青、赤、緑であるか、青、緑、赤であることが好ましい。
【００４６】
前記画素配列における各同色のサブピクセル行は、走査駆動部から信号を供給され、前記画素配列における各異色のサブピクセル列は、データ駆動部から信号を供給されることが好ましい。
【発明の効果】
【００４７】
本発明は、発色の繊細度を向上させるとともに、背景技術において青サブピクセル、赤サブピクセル、および緑サブピクセルの１：１：２の割合に対して、本発明の各画素の１：１：１の割合は、青サブピクセルの割合と面積の増加に相当し、青サブピクセルにおける電圧を低減させ、使用寿命を延長し、ある程度で開口率を向上させる、という有益な効果がある。また、サブピクセルを節約できるとともに、従来技術の画素配列に存在する画面エッジがぼんやりするという欠陥を克服することができ、蒸着精度、蒸着歩留まり、及び画像解像度を高めることができる、という有益な効果がある。
【図面の簡単な説明】
【００４８】
【図１ａ】従来技術の各種の画素配列の模式図である。
【図１ｂ】従来技術の各種の画素配列の模式図である。
【図１ｃ】従来技術の各種の画素配列の模式図である。
【図１ｄ】従来技術の各種の画素配列の模式図である。
【図１ｅ】従来技術の各種の画素配列の模式図である。
【図２】本発明の表示デバイスの模式図である。
【図３】本発明の第１の実施例による画素配列の模式図を示す。
【図４ａ】本発明の第２の実施例による画素配列の模式図を示す。
【図４ｂ】本発明の第３の実施例による画素配列の模式図を示す。
【図５ａ】本発明の第４の実施例による画素配列の模式図を示す。
【図５ｂ】本発明の第５の実施例による画素配列の模式図を示す。
【図６】本発明の第６の実施例による画素配列の模式図を示す。
【図７】本発明によるカラー画像をディスプレイに表示させる駆動部を示す。
【図８】本発明によるディスプレイへの画像表示方法を示す。
【発明を実施するための形態】
【００４９】
以下の説明で、本発明の特徴と利点を表す典型的な実施例を詳細に記述する。本発明は、異なる実施例において各種の変形を行うことができ、何れも本発明の範囲を逸脱せず、実施例における説明と図面は本質的に説明するためのものであり、本発明を制限するためのものではない、ことを理解すべきである。
【００５０】
本発明の実施例に係る画素配列は、本発明の実施例に係るディスプレイに適用することができ、本発明の実施例に係るディスプレイは、本発明の実施例に係る画素配列を有することができ、本発明の実施例に係る表示方法（又は、レンダリング方法と称する）は、本発明の実施例に係るディスプレイに適用することができる。本発明のディスプレイは、携帯電話のディスプレイに適用することが好ましく、携帯電話のＡＭＯＬＥＤディスプレイに適用することがより好ましい。
【００５１】
図２は、本発明の表示デバイスの模式図である。表示デバイスは、ＯＬＥＤ表示デバイス２０である。図２を参照すると、ＯＬＥＤ表示デバイス２０は、少なくとも表示ユニット２００、走査駆動部２２０、データ駆動部２３０を含む。ＯＬＥＤ表示デバイス２０は、他の設備及び／或いは素子を含んでも良い。
【００５２】
表示ユニット２００は、走査線（Ｓ１〜Ｓｎ）、発光制御線（ＥＭ１〜ＥＭｎ）、及びデータ線（Ｄ１〜Ｄｎ）に接続される複数の画素ドット２１０を含んでも良い。さらに、１つの画素ドット２１０は、１つのＯＬＥＤを備え、例えば赤と緑、赤と青、又は、緑と青などの異色の光を出射するための２つのサブピクセルから構成されてもよい。
【００５３】
表示ユニット２００は、外部から供給される第１の電源（ＥＬＶｄｄ）及び外部から供給される第２の電源（ＥＬＶｓｓ）に対応するように画像を表示することができる。表示ユニット２００は、さらに、走査駆動部２２０により生成される走査線Ｓ１〜Ｓｎからの走査信号、発光制御線ＥＭ１〜ＥＭｎからの発光制御信号、及びデータ駆動部２３０により生成されるデータ線Ｄ１〜Ｄｍからのデータ信号に対応する画像を表示することができる。
【００５４】
走査駆動部２２０は、走査信号及び発光制御信号を生成することができる。走査駆動部２２０により生成される走査信号は、走査線（Ｓ１〜Ｓｎ）に順次に供給され、発光制御信号は、各発光制御線（ＥＭ１〜ＥＭｎ）に順次に供給される。走査信号及び発光信号は、それぞれ走査線Ｓ１〜Ｓｎ及び発光制御線ＥＭ１〜ＥＭｎに非順次に供給されても良い。他の実施例において、発光制御信号は、発光制御駆動部により生成されても良い。
【００５５】
データ駆動部２３０は、例えばＲＧＢデータ等の入力信号を受信することができるとともに、受信した入力信号に対応するデータ信号を生成することができる。データ駆動部２３０により生成されたデータ信号は、走査信号に同期するように、データ線（Ｄ１〜Ｄｍ）を介して画素ドット２１０に供給されても良く、走査信号に同期しないように、データ線Ｄ１〜Ｄｍに供給されても良い。
【００５６】
本発明の実施例に係る画素配列は、実質上、２つのサブピクセルで１つの画素ドット２１０を具現する。画素配列は、図３〜図６で詳細に示される。
【００５７】
図３は、本発明の第１の実施例による画素配列の模式図を示す。図３に示すように、画素配列は、複数の基本画素単位３０が水平方向、及び垂直方向に沿って繰り返されることによって構成される。各基本画素単位３０は、第１のサブピクセル群３３と、第２のサブピクセル群３４とを含む。第１のサブピクセル群３３は、第１の色を有する第１のサブピクセルＰ１、第２の色を有する第２のサブピクセルＰ２、および第３の色を有する第３のサブピクセルＰ３からなる。第１のサブピクセルＰ１、第２のサブピクセルＰ２、および第３のサブピクセルＰ３は、垂直方向において上から順に配列されて第１列を構成し、３つのサブピクセルの中心点が垂直方向において整列される。各サブピクセルの形状は、矩形であり、しかもその大きさが同一である。各サブピクセルの長辺をサブピクセルの長軸とし、短辺をサブピクセルの短軸とする。隣り合う２つのサブピクセルの中心の間の距離は、２つのサブピクセルの短辺の垂直方向で投影された長さ以上であり、三つのサブピクセルの短辺の垂直方向で投影された長さ以下である。例えば、（図面では、第１のサブピクセル群３３の隣り合う２つのサブピクセルの間の距離が、２つのサブピクセルの短辺の垂直方向で投影された長さに等しいが）第１のサブピクセル群３３において、第１のサブピクセルＰ１と第２のサブピクセルＰ２の中心の間の距離は、２つのサブピクセルの短辺の垂直方向で投影された長さ以上である。サブピクセルＰ１、Ｐ２、Ｐ３の長辺は、それぞれ垂直方向から反時計回りに４５度回転した方向にある。
【００５８】
第２のサブピクセル群３４は、第３の色を有する第３のサブピクセルＰ３、第１の色を有する第１のサブピクセルＰ１、および第２の色を有する第２のサブピクセルＰ２からなる。第３のサブピクセルＰ３、第１のサブピクセルＰ１、および第２のサブピクセルＰ２は、垂直方向において上から順に配列されて第２列を構成し、三つのサブピクセルの中心点が垂直方向において整列される。各サブピクセルの形状は、矩形であり、しかもその大きさが同一である。隣り合う２つのサブピクセルの中心の間の距離は、２つのサブピクセルの短辺の水平方向で投影された長さ以上であり、三つのサブピクセルの短辺の水平方向で投影された長さ以下である。例えば、（図面では、第２のサブピクセル群３４の隣り合う２つのサブピクセルの間の距離が、２つのサブピクセルの短辺の垂直方向で投影された長さに等しいが）第２のサブピクセル群３４において、第３のサブピクセルＰ３と第１のサブピクセルＰ１の中心の間の距離は、２つのサブピクセルの短辺の垂直方向で投影された長さ以上である。サブピクセルＰ３、Ｐ１、Ｐ２の長辺は、それぞれ垂直方向から時計回りに４５度回転した方向にある。
【００５９】
第１列と第２列は、左から右の順に配列される。（図面では、第１のサブピクセル群３３の各サブピクセルの中心を繋いだ直線と、第２のサブピクセル群３４の各サブピクセルの中心を繋いだ直線との間の距離が、１つのサブピクセルの長辺の水平方向で投影された長さに等しいが）第１のサブピクセル群３３の各サブピクセルの中心を繋いだ直線と、第２のサブピクセル群３４の各サブピクセルの中心を繋いだ直線との間の間隔は、１つのサブピクセルの長辺の水平方向で投影された長さ以上であり、１つのサブピクセルの長辺の水平方向で投影された長さと、１つの短辺の水平方向で投影された長さとの和以下である。第２のサブピクセル群３４の第３のサブピクセルＰ３の中心は、第１のサブピクセル群３３の第１のサブピクセルＰ１の中心と第２のサブピクセルＰ２の中心との中心線に位置する。ここで、第１のサブピクセル群３３の第１のサブピクセルＰ１の中心と第２のサブピクセルＰ２の中心との中心線とは、第１のサブピクセル群３３の第１のサブピクセルＰ１の中心と第２のサブピクセルＰ２の中心を繋がって得る線分の垂直二等分線である。第２のサブピクセル群３４の第１のサブピクセルＰ１の中心は、第１のサブピクセル群３３の第２のサブピクセルＰ２の中心と第３のサブピクセルＰ３の中心との中心線に位置する。ここで、第１のサブピクセル群３３の第２のサブピクセルＰ２の中心と第３のサブピクセルＰ３の中心との中心線とは、第１のサブピクセル群３３の第２のサブピクセルＰ２の中心と第３のサブピクセルＰ３の中心を繋がって得る線分の垂直二等分線である。
【００６０】
画素配列の水平方向において隣り合う２つの基本画素単位の、互いに対応する位置にある２つのサブピクセルの中心の間の距離は、２つのサブピクセルの長辺の水平方向で投影された長さ以上であり、２つのサブピクセルの長辺の水平方向で投影された長さと、２つのサブピクセルの短辺の水平方向で投影された長さとの和以下である。例えば、図面において、（図面では、第１行の左から１番目の第１のサブピクセルＰｌｉの中心と、２番目の第１のサブピクセルＰ１の中心との間の距離が、２つのサブピクセルの長辺の水平方向で投影された長さに等しいが）第１行の左から１番目の第１のサブピクセルＰ１ｉの中心と、２番目の第１のサブピクセルＰ１の中心との間の距離は、２つのサブピクセルの長辺の水平方向で投影された長さ以上であり、２つのサブピクセルの長辺の水平方向での投影の長さと、２つのサブピクセルの短辺の水平方向で投影された長さとの和以下である。
【００６１】
画素配列の垂直方向において隣り合う２つの基本画素単位の、互いに対応する位置にある２つのサブピクセルの中心の間の距離は、６個のサブピクセルの短辺の垂直方向で投影された長さ以上であり、９個のサブピクセルの短辺の垂直方向で投影された長さ以下である。例えば、図面において、（図面では、第１列の１番目の第１のサブピクセルＰｌｉの中心と、２番目の第１のサブピクセルＰ１の中心との間の距離が、６個のサブピクセルの短辺の垂直方向で投影された長さに等しいが）第１列の１番目の第１のサブピクセルＰ１ｉの中心と、２番目の第１のサブピクセルＰ１の中心との間の距離は、６個のサブピクセルの短辺の垂直方向で投影された長さ以上であり、９個のサブピクセルの短辺の垂直方向で投影された長さ以下である。
【００６２】
より具体的には、図３に示すように、１つの画素ドットは、第１のサブピクセルＰ１、第２のサブピクセルＰ２、および第３のサブピクセルＰ３からなる。具体的には、各基本画素単位３０は、２つの画素ドットを含む。例えば、基本画素単位３０の第１のサブピクセル群３３における第１のサブピクセルＰ１（例えば、第１行の左から１番目のサブピクセルＰｌｉ）、第２のサブピクセルＰ２（例えば、第２行の左から１番目のサブピクセルＰ２ｉ）、および第２のサブピクセル群３４における第３のサブピクセルＰ３（例えば、第１行の左から２番目のサブピクセルＰ３ｉ）により第１の画素ドット３１を構成する。基本画素単位３０の第１のサブピクセル群３３における第３のサブピクセルＰ３（例えば、第３行の左から１番目のサブピクセルＰ３ｊ）、第２のサブピクセル群３４における第１のサブピクセルＰ１（例えば、第２行の左から２番目のサブピクセルＰ１ｊ）、および第２のサブピクセルＰ２（例えば、第３行の左から２番目のサブピクセルＰ２ｊ）により第２の画素ドット３２を構成する。第１の画素ドット３１、第２の画素ドット３２は、それぞれ図２に示す画素ドット２１０に該当する。
【００６３】
図４（ａ）は、本発明の第２の実施例による画素配列の模式図を示す。図４（ａ）に示すように、画素配列は、複数の基本画素単位４０が水平方向と垂直方向に沿って繰り返されることにより構成される。各基本画素単位４０は、第１のサブピクセル群４３と、第２のサブピクセル群４４とを含む。第１のサブピクセル群４３は、青サブピクセルＢ（第１の色を有する第１のサブピクセル）、赤サブピクセルＲ（第２の色を有する第２のサブピクセル）、および緑サブピクセルＧ（第３の色を有する第３のサブピクセル）からなる。青サブピクセルＢ、赤サブピクセルＲ、緑サブピクセルＧは、垂直方向において上から順に配列されて第１列を構成し、三つのサブピクセルの中心点が垂直方向において整列される。各サブピクセルの形状は、矩形であり、しかもその大きさが同一である。各サブピクセルの長辺を長軸とし、短辺を短軸とする。隣り合う２つのサブピクセルの中心の間の距離は、２つのサブピクセルの短辺の水平方向で投影された長さ以上であり、三つのサブピクセルの短辺の垂直方向で投影された長さ以下である。例えば、（図面では、第１のサブピクセル群４３の隣り合う２つのサブピクセルの間の距離が、２つのサブピクセルの短辺の垂直方向で投影された長さに等しいが）第１のサブピクセル群４３において、青サブピクセルＢと赤サブピクセルＲの中心の間の距離は、２つのサブピクセルの短辺の垂直方向で投影された長さ以上である。青サブピクセルＢ、赤サブピクセルＲ、および緑サブピクセルＧの長辺は、それぞれ垂直方向から反時計回りに４５度回転した方向にある。
【００６４】
第２のサブピクセル群４４は、緑サブピクセルＧ、青サブピクセルＢ、および赤サブピクセルＲからなる。緑サブピクセルＧ、青サブピクセルＢ、および赤サブピクセルＲは、垂直方向において上から順に配列されて第２列を構成し、三つのサブピクセルの中心点が垂直方向において整列される。各サブピクセルの形状は、矩形であり、しかもその大きさが同一である。各サブピクセルの長辺を長軸とし、短辺を短軸とする。隣り合う２つのサブピクセルの中心の間の距離は、２つのサブピクセルの短辺の垂直方向で投影された長さ以上であり、三つのサブピクセルの短辺の垂直方向で投影された長さ以下である。例えば、（図面では、第２のサブピクセル群４４の隣り合う２つのサブピクセルの間の距離が、２つのサブピクセルの短辺の垂直方向で投影された長さに等しいが）第２のサブピクセル群４４において、緑サブピクセルＧと青サブピクセルＢの中心の間の距離は、２つのサブピクセルの短辺の垂直方向で投影された長さ以上である。緑サブピクセルＧ、青サブピクセルＢ、および赤サブピクセルＲの長辺は、それぞれ垂直方向から時計回りに４５度回転した方向にある。
【００６５】
第１列と第２列は、左から右の順に配列される。（図面では、第１のサブピクセル群４３の各サブピクセルの中心を繋いだ直線と、第２のサブピクセル群４４の各サブピクセルの中心を繋いだ直線との間の距離が、１つのサブピクセルの長辺の水平方向で投影された長さに等しいが）第１のサブピクセル群４３の各サブピクセルの中心を繋いだ直線と、第２のサブピクセル群４４の各サブピクセルの中心を繋いだ直線との間の間隔は、１つのサブピクセルの長辺の水平方向で投影された長さ以上であり、１つのサブピクセルの長辺の水平方向での投影の長さと、１つの短辺の水平方向で投影された長さとの和以下である。第２のサブピクセル群４４の緑サブピクセルＧの中心は、第１のサブピクセル群４３の青サブピクセルＢの中心と赤サブピクセルＲの中心との中心線に位置する。第２のサブピクセル群４４の青サブピクセルＢの中心は、第１のサブピクセル群４３の赤サブピクセルＲの中心と緑サブピクセルＧの中心との中心線に位置する。
【００６６】
画素配列の水平方向において隣り合う２つの基本画素単位の、互いに対応する位置にある２つのサブピクセルの中心の間の距離は、２つのサブピクセルの長辺の水平方向で投影された長さ以上であり、２つのサブピクセルの長辺の水平方向で投影された長さと、２つのサブピクセルの短辺の水平方向で投影された長さとの和以下である。例えば、図面において、（図面では、第１行の左から１番目の青サブピクセルＢｉの中心と、２番目の青サブピクセルＢの中心との間の距離が、２つのサブピクセルの長辺の水平方向で投影された長さに等しいが）第１行の左から１番目の青サブピクセルＢｉの中心と、２番目の青サブピクセルＢの中心との間の距離は、２つのサブピクセルの長辺の水平方向で投影された長さ以上であり、２つのサブピクセルの長辺の水平方向で投影された長さと、２つのサブピクセルの短辺の水平方向での投影の長さとの和以下である。
【００６７】
画素配列の垂直方向において隣り合う２つの基本画素単位の、互いに対応する位置にある２つのサブピクセルの中心の間の距離は、６個のサブピクセルの短辺の垂直方向で投影された長さ以上であり、９個のサブピクセルの短辺の垂直方向で投影された長さ以下である。例えば、図面において、（図面では、第１列の１番目の青サブピクセルＢｉの中心と、２番目の青サブピクセルＢの中心との間の距離が、６個のサブピクセルの短辺の垂直方向で投影された長さに等しいが）第１列の１番目の青サブピクセルＢｉの中心と、２番目の青サブピクセルＢの中心との間の距離は、６個のサブピクセルの短辺の垂直方向で投影された長さ以上であり、９個のサブピクセルの短辺の垂直方向で投影された長さ以下である。
【００６８】
より具体的には、図４（ａ）に示すように、１つの画素ドットは、青サブピクセルＢ、赤サブピクセルＲ、および緑サブピクセルＧからなる。具体的には、各基本画素単位４０は、２つの画素ドットを含む。例えば、基本画素単位４０の第１のサブピクセル群４３における青サブピクセルＢ（例えば、第１行の左から１番目のサブピクセルＢｉ）、赤サブピクセルＲ（例えば、第２行の左から１番目のサブピクセルＲｉ）、および第２のサブピクセル群４４における緑サブピクセルＧ（例えば、第１行の左から２番目のサブピクセルＧｉ）が共同で第１の画素ドット４１を構成する。基本画素単位４０の第１のサブピクセル群４３における緑サブピクセルＧ（例えば、第３行の左から１番目のサブピクセルＧｊ）、第２のサブピクセル群４４における青サブピクセルＢ（例えば、第２行の左から２番目のサブピクセルＢｊ）、および赤サブピクセルＲ（例えば、第３行の左から２番目のサブピクセルＲｊ）が共同で第２の画素ドット４２を構成する。第１の画素ドット４１、第２の画素ドット４２は、それぞれ図２に示す画素ドット２１０に該当する。
【００６９】
図４（ａ）に示す実施例において、各サブピクセルの形状はいずれも矩形であり、かつ各サブピクセルの大きさも同一である。しかし、本発明における各サブピクセルの形状は、これに限定されず、以下の第３の実施例〜第５の実施例の変形が可能である。
【００７０】
図４（ｂ）は、本発明の第３の実施例による画素配列の模式図を示す。図４（ｂ）に示す実施例は、ただ赤サブピクセルと緑サブピクセルの位置が置き換えられている点で図４（ａ）に示す実施例と異なる。
【００７１】
対応的に、第１の画素ドット４１´は、第１行の左から１番目のサブピクセルＢｉ、第１行の左から２番目のサブピクセルＲｉ、および第２行の左から１番目のサブピクセルＧｉにより構成される。第２の画素ドット４２´は、第２行の左から２番目のサブピクセルＢｊ、第３行の左から１番目のサブピクセルＲｊ、および第３行の左から２番目のサブピクセルＧｊにより構成される。
【００７２】
図５（ａ）は、本発明の第４の実施例による画素配列の模式図を示す。図５（ａ）に示す実施例は、ただ青サブピクセル、赤サブピクセル、および緑サブピクセルの形状が楕円である点で、図４（ｂ）に示す実施例と異なる。ここで、各サブピクセルの最も長い弦を長軸とし、最も短い弦を短軸とする。具体的には、１つの基本画素単位は、図面符号５０で示され、第１の画素ドットは、図面符号５１で示され、第２の画素ドットは、図面符号５２で示され、第１のサブピクセル群は、図面符号５３で示され、第２のサブピクセル群は、図面符号５４で示される。
【００７３】
図５（ｂ）は、本発明の第５の実施例による画素配列の模式図を示す。図５（ｂ）に示す実施例は、ただ青サブピクセル、赤サブピクセル、および緑サブピクセルの形状が菱形である点で、図４（ｂ）に示す実施例と異なる。ここで、各サブピクセルの長めの対角線を長軸とし、短めの対角線を短軸とする。具体的には、１つの基本画素単位は、図面符号５０´で示され、第１の画素ドットは、図面符号５１´で示され、第２の画素ドットは、図面符号５２´で示され、第１のサブピクセル群は、図面符号５３´で示され、第２のサブピクセル群は、図面符号５４´で示される。
【００７４】
本発明のマトリクス配列は、上記各サブピクセルの形状について楕円形、矩形、菱形のほか、六角形などの形状であってもよい。一部の変形例において、各サブピクセルは、各種類の図形の組み合わせであってもよい。例えば、赤サブピクセルが矩形であり、青サブピクセルが菱形であり、緑サブピクセルが楕円形であってもよい。本分野の技術者は、もっと多くの変形例を実現できるが、ここでは具体的に贅言しない。各サブピクセルの異なる形状の組み合わせによって、最大限に画素配列の開口率を向上させることができる。
【００７５】
図６は、本発明の第６の実施例による画素配列の模式図を示す。図６に示すように、画素配列は、複数の基本画素単位６０が水平方向、及び垂直方向に沿って繰り返されることにより構成される。各基本画素単位６０は、第１のサブピクセル群６３と、第２のサブピクセル群６４とを含む。第１のサブピクセル群６３は、第１の色を有する第１のサブピクセルＰ１、第２の色を有する第２のサブピクセルＰ２、および第３の色を有する第３のサブピクセルＰ３からなる。第１のサブピクセルＰ１、第２のサブピクセルＰ２、および第３のサブピクセルＰ３は、水平方向において左から順に配列されて第１行を構成し、三つのサブピクセルの中心点が水平方向において整列される。各サブピクセルの形状は矩形であり、しかもその大きさが同一である。隣り合う２つのサブピクセルの中心の間の距離は、２つのサブピクセルの短辺の水平方向で投影された長さ以上であり、三つのサブピクセルの短辺の水平方向で投影された長さ以下である。例えば、（図面では、第１のサブピクセル群６３の隣り合う２つのサブピクセルの間の距離が、２つのサブピクセルの短辺の水平方向で投影された長さに等しいが）第１のサブピクセル群６３において、第１のサブピクセルＰ１と第２のサブピクセルＰ２の中心の間の距離は、２つのサブピクセルの短辺の水平方向で投影された長さ以上である。サブピクセルＰ１、Ｐ２、Ｐ３の長辺は、それぞれ垂直方向から反時計回りに４５度回転した方向にある。
【００７６】
第２のサブピクセル群６４は、第３の色を有する第３のサブピクセルＰ３、第１の色を有する第１のサブピクセルＰ１、および第２の色を有する第２のサブピクセルＰ２からなる。第３のサブピクセルＰ３、第１のサブピクセルＰ１、および第２のサブピクセルＰ２は、水平方向において左から順に配列されて第２行を構成し、三つのサブピクセルの中心点が水平方向において整列される。各サブピクセルの形状は矩形であり、しかもその大きさが同一である。隣り合う２つのサブピクセルの中心の間の距離は、２つのサブピクセルの短辺の水平方向で投影された長さ以上であり、三つのサブピクセルの短辺の水平方向で投影された長さ以下である。例えば、（図面では、第２のサブピクセル群６４の隣り合う２つのサブピクセルの間の距離が、２つのサブピクセルの短辺の水平方向で投影された長さに等しいが）第２のサブピクセル群６４において、第３のサブピクセルＰ３と第１のサブピクセルＰ１の中心の間の距離は、２つのサブピクセルの短辺の水平方向で投影された長さ以上である。サブピクセルＰ３、Ｐ１、Ｐ２の長辺は、それぞれ垂直方向から時計回りに４５度回転した方向にある。
【００７７】
第１行と第２行は、上から順に配列される。第１のサブピクセル群６３の各サブピクセルの中心を繋いだ直線と、第２のサブピクセル群６４の各サブピクセルの中心を繋いだ直線との間の間隔は、（図面では、第１のサブピクセル群６３の各サブピクセルの中心を繋いだ直線と、第２のサブピクセル群６４の各サブピクセルの中心を繋いだ直線との間の距離が、１つのサブピクセルの長辺の垂直方向で投影された長さに等しいが）１つのサブピクセルの長辺の垂直方向で投影された長さ以上であり、１つのサブピクセルの長辺の垂直方向での投影の長さと、１つの短辺の垂直方向での投影の長さとの和以下である。第２のサブピクセル群６４の第３のサブピクセルＰ３の中心は、第１のサブピクセル群６３の第１のサブピクセルＰ１の中心と第２のサブピクセルＰ２の中心との中心線に位置する。第２のサブピクセル群６４の第１のサブピクセルＰ１の中心は、第１のサブピクセル群６３の第２のサブピクセルＰ２の中心と第３のサブピクセルＰ３の中心との中心線に位置する。
【００７８】
画素配列の水平方向において隣り合う２つの基本画素単位の、互いに対応する位置にある２つのサブピクセルの中心の間の距離は、６個のサブピクセルの短辺の水平方向で投影された長さ以上であり、９個のサブピクセルの短辺の水平方向で投影された長さ以下である。例えば、図面において、第１行の左から１番目の第１のサブピクセルＰ１ｉの中心と、２番目の第１のサブピクセルＰ１の中心との間の距離は、（図面では、第１行の１番目の第１のサブピクセルＰｌｉの中心と、２番目の第１のサブピクセルＰ１の中心との間の距離が、６個のサブピクセルの短辺の水平方向で投影された長さに等しいが）６個のサブピクセルの短辺の水平方向で投影された長さ以上であり、９個のサブピクセルの短辺の水平方向で投影された長さ以下である。
【００７９】
画素配列の垂直方向において隣り合う２つの基本画素単位の、互いに対応する位置にある２つのサブピクセルの中心の間の距離は、２つのサブピクセルの長辺の垂直方向で投影された長さ以上であり、２つのサブピクセルの長辺の垂直方向で投影された長さと、２つのサブピクセルの短辺の垂直方向での投影の長さとの和以下である。例えば、図面において、第１行の左から１番目の第１のサブピクセルＰ１ｉの中心と、第３行の左から１番目の第１のサブピクセルＰ１の中心との間の距離は、（図面では、第１行の左から１番目の第１のサブピクセルＰｌｉの中心と、第３行の左から１番目の第１のサブピクセルＰ１の中心との間の距離が、２つのサブピクセルの長辺の垂直方向で投影された長さに等しいが）２つのサブピクセルの長辺の垂直方向で投影された長さ以上であり、２つのサブピクセルの長辺の垂直方向での投影と、２つのサブピクセルの短辺の垂直方向での投影の長さとの和以下である。
【００８０】
より具体的には、図６に示すように、１つの画素ドットは、第１のサブピクセルＰ１、第２のサブピクセルＰ２、および第３のサブピクセルＰ３からなる。具体的には、各基本画素単位６０は、２つの画素ドットを含む。例えば、基本画素単位６０の第１のサブピクセル群６３における第１のサブピクセルＰ１（例えば、第１行の左から１番目のサブピクセルＰｌｉ）、第２のサブピクセルＰ２（例えば、第１行の左から２番目のサブピクセルＰ２ｉ）、および第２のサブピクセル群６４における第３のサブピクセルＰ３（例えば、第２行の左から１番目のサブピクセルＰ３ｉ）が共同で第１の画素ドット６１を構成する。基本画素単位６０の第１のサブピクセル群６３における第３のサブピクセルＰ３（例えば、第１行の左から３番目のサブピクセルＰ３ｊ）、第２のサブピクセル群６４における第１のサブピクセルＰ１（例えば、第２行の左から２番目のサブピクセルＰ１ｊ）、および第２のサブピクセルＰ２（例えば、第２行の左から３番目のサブピクセルＰ２ｊ）が共同で第２の画素ドット６２を構成する。第１の画素ドット６１、第２の画素ドット６２は、それぞれ図２に示す画素ドット２１０に該当する。
【００８１】
本実施例の変形例において、上記各サブピクセルの形状は、楕円形、菱形、および六角形などの形状であってもよい。
【００８２】
本発明の実施例に係るディスプレイは、画素領域、及び非画素領域を備える基底と、画素領域に位置し、第１の電極、有機薄層、及び第２の電極を含む有機発光ダイオードと、有機発光ダイオードを駆動するための駆動部とを含む。本発明の実施例に係るディスプレイの画素領域における画素配列は、図３〜図６に示した本発明の何れの実施例の画素配列であってもよい。
【００８３】
図７は、本発明に係る、カラー画像をディスプレイに表示させる駆動部７００を示す。駆動部７００は、入力ユニット７０２、輝度マッピングユニット７０４、パターン推定ユニット７０６、サブピクセル発色ユニット（Ｐａｉｎｔｉｎｇ Ｕｎｉｔ）７０８、輝度バッファー７１０、及び出力ユニット７１２を含む。入力ユニット７０２は、ディスプレイに表示しようとするカラー画像を示す画像信号を入力する。輝度マッピングユニット７０４は、当該カラー画像に対応する輝度分布図を生成する。輝度分布図は、各赤、緑、及び青の各々の輝度値を含む。パターン推定ユニット７０６は、輝度分布図を解析して、当該カラー画像の少なくとも１つのパターンを推定する。当該カラー画像の少なくとも１つのパターンは、点パターン、垂直線、水平線、及び対角線のうちの少なくとも１種類を含む。パターン推定ユニット７０６は、さらに、各パターンに対して、少なくとも一つのカラーテンプレートを生成する。画素発色ユニット７０８は、少なくとも１つのカラーテンプレートを利用して強度分布図を生成し、当該強度分布図を輝度バッファー７１０へ出力する。強度分布図は、ディスプレイの各第１のサブピクセル、各第２のサブピクセル、及び各第３のサブピクセルの強度値を含む。出力ユニット７１２は、強度分布図により発生された複数の電圧信号をディスプレイへ出力する。
【００８４】
駆動部７００は、輝度マッピングユニット７０４とパターン推定ユニット７０６を使用せず、入力画像信号に基づいて直接強度分布図を生成するように設置されても良い。
【００８５】
本発明の各実施例に係る画素配列は、各種のカラーテンプレートを生成することができ、カラーテンプレートは、点パターンの色により決められ、１つの画像における各種のパターンを表示する。各第１の輝度値、各第２の輝度値、及び各第３の輝度値は、それぞれ、各色の階調値（輝度）がその最大階調値に対する比であり、０％〜１００％の割合として表される。例えば、一色のｎビットの階調値の場合、当該階調は、この色がないということを表す０からフルカラーであることを表す（２ｎ−１）までの数値で表される。前者は、０％の輝度値を有し、一方、後者は、この色の１００％の輝度値を有する。輝度値は８ビットの階調値によるものである。即ち、０、１、２、．．．、２５４、２５５の数値で階調値を表す。他のビット数の階調値でも本発明を実施することができる、ことを理解すべきである。なお、階調値とは、１つの画像における複数段階の階調であるか、或いは、肉眼が当該画像から受光した受光量である。当該カラー画像の輝度がｎビットの階調の形態で表現されると、階調値は、黒を指す“０”から白を指す“２ｎ−１”までの数値で表され、“０”と“２ｎ−１”との間の数値は増加する階調を表す。但し、ｎは、０より大きい整数である。
【００８６】
例えば、カラーテンプレートは、白色の点パターンを表示するために、約１００％の緑色の輝度値、約５０％〜約１００％の青色の輝度値、及び約５０％〜約１００％の赤色の輝度値を含む。カラーテンプレートは、赤色の点パターンを表示するために、約１％〜約２０％の緑色の輝度値、約０％〜約５０％の青色の輝度値、及び約５０％〜約１００％の赤色の輝度値を含む。カラーテンプレートは、緑色の点パターンを表示するために、約１００％の緑色の輝度値、約０％〜約５０％の青色の輝度値、及び約１％〜約３０％の赤色の輝度値を含む。カラーテンプレートは、青色の点パターンを表示するために、約１％〜約２０％の緑色の輝度値、約５０％〜約１００％の青色の輝度値、及び約０％〜約３０％の赤色の輝度値を含む。
【００８７】
図８は、本発明に係るディスプレイへの画像表示方法８００を示す図である。方法８００は、以下のステップを含む。
【００８８】
ステップ８０２において、画像信号を入力する。画像信号は、例えば、カラー画像を示す画像信号である。
【００８９】
ステップ８０４において、入力された画像信号に基づいて、輝度分布図を生成する。輝度分布図は、各赤サブピクセル、緑サブピクセル、及び青サブピクセル各々の輝度値を含む。
【００９０】
ステップ８０６において、輝度分布図を解析してカラー画像の少なくとも１つのパターンを推定するとともに、各パターンに基づいて、少なくとも１つのカラーテンプレートを生成する。上記カラーテンプレートは、複数のサブピクセルを有し，上記少なくとも１つのカラーテンプレートは、それぞれ、上記カラー画像の上記少なくとも１つのパターンに対応する。
【００９１】
ステップ８０８において、少なくとも１つのカラーテンプレートに基づいて、強度分布図を生成する。強度分布図は、ディスプレイの各第１のサブピクセル、各第２のサブピクセル、及び各第３のサブピクセルの強度値を含む。
【００９２】
ステップ８１０において、強度分布図を輝度バッファーへ出力する。
ステップ８１２において、強度分布図により発生された複数の電気信号をディスプレイへ出力する。
【００９３】
方法８００は、ステップ８０４、及びステップ８０６を行わず、入力された画像信号から少なくとも１つのカラーテンプレートを直接生成するように設定されても良い。
【００９４】
当業者は、本発明に付属される特許請求の範囲に開示された本発明の範囲及び主旨を逸脱しない範囲で実施する変更及び修正は、すべて本発明の特許範囲に含まれるものであると考えるべきである。
【図１ａ】
0005946506.tif 000002
【図１ｂ】
0005946506.tif 000003
【図１ｃ】
0005946506.tif 000004
【図１ｄ】
0005946506.tif 000005
【図１ｅ】
0005946506.tif 000006
【図２】
0005946506.tif 000007
【図３】
0005946506.tif 000008
【図４ａ】
0005946506.tif 000009
【図４ｂ】
0005946506.tif 000010
【図５ａ】
0005946506.tif 000011
【図５ｂ】
0005946506.tif 000012
【図６】
0005946506.tif 000013
【図７】
0005946506.tif 000014
【図８】
0005946506.tif 000015